(57)【特許請求の範囲】
【請求項１】
乳酸菌を含む所定の食品と、
所定のタイミングで更新される、前記食品と略同一条件で生産された代替食品に含まれる乳酸菌の情報に、通信回線を介してアクセス可能であり、かつ、前記食品と共に提供される識別子と、
前記食品に用いられた糖類の総重量と略同じ重量の糖類、前記食品に用いられた糖類の総体積と略同じ体積の糖類、若しくは、前記食品に用いられた糖類の総体積と見かけ上略同じ体積の糖類であり、前記食品と共に提供される付属物とを備える
食品製品。
【請求項２】
乳酸菌を含む所定の食品と、
所定のタイミングで更新される、前記食品と略同一条件で生産された代替食品に含まれる乳酸菌の情報に、通信回線を介してアクセス可能であり、かつ、前記食品と共に提供される識別子と、
前記食品に用いられた糖類の総重量に所定の割合を乗じて得られた重量と略同じ重量の糖類、前記食品に用いられた糖類の総体積に所定の割合を乗じて得られた体積と略同じ体積の糖類、若しくは、前記食品に用いられた糖類の総体積に所定の割合を乗じて得られた体積と見かけ上略同じ体積の糖類であり、前記食品と共に提供される付属物と、
前記所定の割合を表示した表示物とを備える
食品製品。
【請求項３】
前記代替食品に含まれる乳酸菌の情報とは、前記代替食品に含まれる乳酸菌の画像、若しくは、前記代替食品に含まれる乳酸菌の画像及び同乳酸菌の数量である
請求項１または請求項２に記載の食品製品。
【請求項４】
乳酸菌を含む所定の食品と、
所定のタイミングで更新される、前記食品と略同一条件で生産された代替食品に含まれる乳酸菌の情報に、通信回線を介してアクセス可能である識別子と、
前記食品に用いられた糖類の総重量と略同じ重量の糖類、前記食品に用いられた糖類の総体積と略同じ体積の糖類、若しくは、前記食品に用いられた糖類の総体積と見かけ上略同じ体積の糖類である付属物とを共に提供する工程を備える
食品製品の提供方法。
【請求項５】
乳酸菌を含む所定の食品と、
所定のタイミングで更新される、前記食品と略同一条件で生産された代替食品に含まれる乳酸菌の情報に、通信回線を介してアクセス可能である識別子と、
前記食品に用いられた糖類の総重量に所定の割合を乗じて得られた重量と略同じ重量の糖類、前記食品に用いられた糖類の総体積に所定の割合を乗じて得られた体積と略同じ体積の糖類、若しくは、前記食品に用いられた糖類の総体積に所定の割合を乗じて得られた体積と見かけ上略同じ体積の糖類である付属物と、
前記所定の割合を表示した表示物とを共に提供する工程を備える
食品製品の提供方法。
【請求項６】
乳酸菌を含む所定の食品を、
所定のタイミングで更新される、前記食品と略同一条件で生産された代替食品に含まれる乳酸菌の情報に、通信回線を介してアクセス可能である識別子と、
前記食品に用いられた糖類の総重量と略同じ重量の糖類、前記食品に用いられた糖類の総体積と略同じ体積の糖類、若しくは、前記食品に用いられた糖類の総体積と見かけ上略同じ体積の糖類である付属物とを見せて提供する工程を備える
食品製品の提供方法。
【請求項７】
乳酸菌を含む所定の食品を、
所定のタイミングで更新される、前記食品と略同一条件で生産された代替食品に含まれる乳酸菌の情報に、通信回線を介してアクセス可能である識別子と、
前記食品に用いられた糖類の総重量に所定の割合を乗じて得られた重量と略同じ重量の糖類、前記食品に用いられた糖類の総体積に所定の割合を乗じて得られた体積と略同じ体積の糖類、若しくは、前記食品に用いられた糖類の総体積に所定の割合を乗じて得られた体積と見かけ上略同じ体積の糖類である付属物と、
前記所定の割合を表示した表示物とを見せて提供する工程を備える
食品製品の提供方法。
【発明の詳細な説明】
【技術分野】
【０００１】
本発明は、食品製品及び食品製品の提供方法に関する。詳しくは、食品と共に所定の識別子を提供等する食品製品及び食品製品の提供方法に係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者の信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品によっては、時々刻々と品質が変化しているものがある。即ち、食品の品質は、経過した時間に強く影響を受ける場合がある。
【０００８】
そのため、食品の原料粉末は、食品の品質についての情報を得ることができる要因ではあるものの、たった１つの要因に過ぎず、原料粉末見本を食品に添付して食品を提供するといった特許文献１に記載の技術のみでは、消費者が安心して食品を選択するといった目的を実現するのに充分ではない場合がある。
【０００９】
本発明は以上の点に鑑みて創案されたものであって、より一層充分に消費者が安心して食品を選択することが可能となる食品製品及び食品製品の提供方法を提供することを目的とするものである。
【課題を解決するための手段】
【００１０】
上記の目的を達成するために、本発明の食品製品では、乳酸菌を含む所定の食品と、所定のタイミングで更新される、前記食品と略同一条件で生産された代替食品に含まれる乳酸菌の情報に、通信回線を介してアクセス可能であり、かつ、前記食品と共に提供される識別子とを備える。
【００１１】
また、食品に用いられた糖類の総重量と略同じ重量の糖類、食品に用いられた糖類の総体積と略同じ体積の糖類、若しくは、食品に用いられた糖類の総体積と見かけ上略同じ体積の糖類であり、食品と共に提供される付属物を備えていても良い。
【００１２】
更に、食品に用いられた糖類の総重量に所定の割合を乗じて得られた重量と略同じ重量の糖類、食品に用いられた糖類の総体積に所定の割合を乗じて得られた体積と略同じ体積の糖類、若しくは、食品に用いられた糖類の総体積に所定の割合を乗じて得られた体積と見かけ上略同じ体積の糖類であり、食品と共に提供される付属物と、所定の割合を表示した表示物とを備えていても良い。
【００１３】
また、上記の目的を達成するために、本発明の食品製品の提供方法は、乳酸菌を含む所定の食品と、所定のタイミングで更新される、前記食品と略同一条件で生産された代替食品に含まれる乳酸菌の情報に、通信回線を介してアクセス可能である識別子とを共に提供する工程を備える。
【００１４】
また、食品に用いられた糖類の総重量と略同じ重量の糖類、食品に用いられた糖類の総体積と略同じ体積の糖類、若しくは、食品に用いられた糖類の総体積と見かけ上略同じ体積の糖類である付属物を、食品と共に提供しても良い。
【００１５】
更に、食品に用いられた糖類の総重量に所定の割合を乗じて得られた重量と略同じ重量の糖類、食品に用いられた糖類の総体積に所定の割合を乗じて得られた体積と略同じ体積の糖類、若しくは、食品に用いられた糖類の総体積に所定の割合を乗じて得られた体積と見かけ上略同じ体積の糖類である付属物と、所定の割合を表示した表示物とを、食品と共に提供しても良い。
【００１６】
更に、上記の目的を達成するために、本発明の食品製品の提供方法は、前記食品に用いられた糖類の総重量と略同じ重量の糖類、前記食品に用いられた糖類の総体積と略同じ体積の糖類、若しくは、前記食品に用いられた糖類の総体積と見かけ上略同じ体積の糖類である付属物を、前記食品と共に提供する。
【００１７】
また、食品に用いられた糖類の総重量と略同じ重量の糖類、食品に用いられた糖類の総体積と略同じ体積の糖類、若しくは、食品に用いられた糖類の総体積と見かけ上略同じ体積の糖類である付属物を見せて、食品を提供しても良い。
【００１８】
更に、食品に用いられた糖類の総重量に所定の割合を乗じて得られた重量と略同じ重量の糖類、食品に用いられた糖類の総体積に所定の割合を乗じて得られた体積と略同じ体積の糖類、若しくは、食品に用いられた糖類の総体積に所定の割合を乗じて得られた体積と見かけ上略同じ体積の糖類である付属物と、所定の割合を表示した表示物とを見せて、食品を提供しても良い。
【００１９】
ここで、代替食品に含まれる乳酸菌の情報に、通信回線を介してアクセス可能な識別子によって、所定の食品に含まれる乳酸菌の情報を消費者に提供することができる。
即ち、識別子の提供を受けた消費者が、代替食品に含まれる乳酸菌の情報にアクセスすることによって、所定の食品に含まれる乳酸菌の情報を得ることができる。
また、代替食品に含まれる乳酸菌の情報が所定のタイミングで更新されることによって、消費者は、所定の食品に関する比較的新しい情報を得ることができる。
なお、「通信回線を介してアクセス可能な識別子」とは、例えば、二次元バーコード等を意味する。
【００２０】
また、「食品と略同一条件で生産された代替食品」とは、例えば、同じ時期に同じ場所で同じ生産工程を経て生産された食品を意味する。
即ち、「代替食品」とは、品質を把握するにあたって、食品と同一視できるものを意味している。そして、「代替食品」と「所定の食品」とが品質を把握するにあたって同一視できるために、「代替食品に含まれる乳酸菌の情報」を得ることで、「所定の食品に含まれる乳酸菌の情報」を得ることができるのである。
【００２１】
ここで、「代替食品に含まれる乳酸菌の情報」として、「代替食品に含まれる乳酸菌の画像」である場合（例えば、代替食品の顕微鏡写真である場合）には、情報の偽装が行い難い。これに対して、「代替食品に含まれる乳酸菌の情報」として、例えば、「代替食品に含まれる乳酸菌の数量」である場合（例えば、「乳酸菌の数量が１千万匹」といった文字情報である場合）には、情報の偽装が行い易い。
なお、「代替食品に含まれる乳酸菌の数量」を提供することで、乳酸菌の多少を知覚的に理解し易いために、「代替食品に含まれる乳酸菌の情報」として、「代替食品に含まれる乳酸菌の画像」と共に「代替食品に含まれる乳酸菌の数量」を提供することが考えられる。
【００２２】
また、食品に用いられた糖類の総重量と略同じ重量の糖類である付属物によって、食品に用いられた糖類の総重量を容易に把握することができる。更に、食品に用いられた糖類の総体積と略同じ体積の糖類である付属物によって、食品に用いられた糖類の総体積を容易に把握することができる。同様に、食品に用いられた糖類の総体積と見かけ上略同じ体積の糖類である付属物によって、食品に用いられた糖類の総体積を容易に把握することができる。
【００２３】
また、食品に用いられた糖類の総重量に所定の割合を乗じて得られた重量と略同じ重量の糖類である付属物と、所定の割合を表示した表示物とによって、食品に用いられた糖類の総重量を容易に把握することができる。更に、食品に用いられた総体積に所定の割合を乗じて得られた体積と略同じ体積の糖類である付属物と、所定の割合を表示した表示物とによって、食品に用いられた糖類の総体積を容易に把握することができる。同様に、食品に用いられた糖類の総体積に所定の割合を乗じて得られた体積と見かけ上略同じ体積の糖類である付属物と、所定の割合を表示した表示物とによって、食品に用いられた糖類の総体積を容易に把握することができる。
【００２４】
なお、「見かけ上同じ体積」とは、見た目が同じ体積の様に見えることを意味する。例えば、食品に用いられた糖類の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００２５】
ここで、乳酸菌も生物である以上、食べ物が無ければ生きていくことができず、乳酸菌の代表的なエサとして糖類が挙げられる。そして、エサが無くなれば、乳酸菌が充分に機能できなくなり、若しくは、乳酸菌が死滅してその数量は減少することとなる。
そのため、食品に用いられた糖類の総重量や総体積を把握することによって、食品に含まれる乳酸菌が充分に機能するか否かという情報を得ることができる。
【００２６】
ところで、ここでの「食品」とは、栄養素の摂取や嗜好を目的とした飲食物（加工食品、嗜好食品、調味用材料、健康食品、サプリメント、飲料、加工材料等も含む）を含むことは勿論のこと、医薬品や医薬部外品をも含む趣旨である。また、ドッグフード等、動物を対象としたものも含む趣旨である。
【００２７】
また、ここでの「識別子を見せる」とは、識別子が掲載されたカタログを見せる場合や、識別子が掲載されたウェブサイトを見せる場合等も含まれる。
【００２８】
更に、ここでの「付属物を見せる」とは、付属物の実物を見せることは勿論、付属物の静止画や動画を見せる場合も含む趣旨である。例えば、付属物の写真が掲載されたカタログを見せる場合や、付属物の写真や動画が掲載されたウェブサイトを見せる場合等も含まれる。
【発明の効果】
【００２９】
本発明の食品製品及び食品製品の提供方法では、消費者がより一層安心して食品を選択することが可能となり、食品の信頼度の向上を実現することができる。
【図面の簡単な説明】
【００３０】
【図１】第１の実施の形態を説明するための模式図である。
【図２】ウェブサイトの構成（１）を説明するための模式図である。
【図３】ウェブサイトの構成（２）を説明するための模式図である。
【図４】ウェブサイトの構成（３）を説明するための模式図である。
【図５】第１の実施の形態の変形例を説明するための模式図である。
【図６】第２の実施の形態を説明するための模式図である。
【図７】第３の実施の形態を説明するための模式図である。
【発明を実施するための形態】
【００３１】
以下、発明を実施するための形態（以下、「実施の形態」と称する）について説明を行う。なお、説明は以下の順序で行う。
１．第１の実施の形態
２．第２の実施の形態
３．第３の実施の形態
【００３２】
＜１．第１の実施の形態＞
［食品製品の構成の説明］
図１は本発明を適用した食品製品の一例を説明するための模式図であり、ここで示す食品製品Ａは、食品１を密閉状に収容した容器２の底部に収容凹部３が形成されている。
【００３３】
収容凹部３には、糖類４が密閉状に封入された透明袋状の糖類封入体５が収容されている。なお、食品１と糖類４はそれぞれ別個に収容されており、容器２と糖類封入体５とが一体的に包装紙６で包装されている。
【００３４】
ここで、食品１は乳酸菌を含むものであり、代表的にはヨーグルトである。
なお、本実施の形態では、食品１としてヨーグルトを例に挙げて説明を行うが、食品１は乳酸菌を含むものであれば良く、必ずしもヨーグルトである必要は無い。例えば、チーズ、キムチ、漬物、納豆、ザーサイ、チャツネ等であっても良い。
【００３５】
また、糖類封入体５に封入された糖類４は、食品１に用いられた糖類（例えば、オリゴ糖）の総重量と同じ重量である。
【００３６】
また、糖類封入体５には、二次元バーコート（識別子の一例である）８ａが表示されている。この二次元バーコード８ａにはＵＲＬが記録されており、携帯端末等で二次元バーコードを読み取ることで、インターネットを通じて所定のウェブサイトにアクセスすることができる。
【００３７】
ここで、二次元バーコード８ａに記録されたＵＲＬが示すウェブサイトには、食品１の代替食品に含まれる乳酸菌の情報が掲載されている。
具体的には、食品（ヨーグルト）１と同じ日に、同じ工場で、同じ生産ラインで生産された代替食品（ヨーグルト）に含まれる乳酸菌の画像（乳酸菌の情報の一例である）が掲載されている。
【００３８】
ここでの、代替食品（ヨーグルト）に含まれている乳酸菌の画像の情報は、所定のタイミングで更新される。例えば、一定時間おき（１時間おき等）に更新されたり、ユーザがウェブサイトにアクセスするときに更新されたり、といった具合である。
【００３９】
なお、「食品１の代替食品」とは、食品１と略同一条件で生産された食品を意味し、換言すると、品質を把握するにあたって、食品１と同一視できるものを意味している。具体的には、同じ日に、同じ工場で、同じ生産ラインで製造されたヨーグルトが一例として挙げられる。
【００４０】
［ウェブサイトの説明］
図２は二次元バーコード８ａからアクセスできるウェブサイトの一例を説明するための模式図である。
ここで示すウェブサイトでは、ヨーグルトの製造年月日２２によって分類されており、具体的には、製造日が２０１４年４月１０日のヨーグルトは１行目、製造日が２０１４年４月１１日のヨーグルトは２行目、製造日が２０１４年４月１２日のヨーグルトは３行目、製造日が２０１４年４月１３日のヨーグルトは４行目、といった具合である。
【００４１】
また、製造日以降の日付２３に対応して、リンク（１）〜（１４）が設けられている。
具体的には、製造日が２０１４年４月１０日のヨーグルトについては、４月１０日のリンク情報として「（１）」が掲載され、４月１１日のリンク情報として「（２）」が掲載され、４月１２日のリンク情報として「（４）」が掲載され、４月１３日のリンク情報として「（７）」が掲載され、４月１４日のリンク情報として「（１１）」が掲載されている。
【００４２】
同様に、製造日が２０１４年４月１１日のヨーグルトについては、４月１１日のリンク情報として「（３）」が掲載され、４月１２日のリンク情報として「（５）」が掲載され、４月１３日のリンク情報として「（８）」が掲載され、４月１４日のリンク情報として「（１２）」が掲載されている。なお、４月１０日は製造前であるために、リンク情報は掲載されていない。
【００４３】
また同様に、製造日が２０１４年４月１２日のヨーグルトについては、４月１２日のリンク情報として「（６）」が掲載され、４月１３日のリンク情報として「（９）」が掲載され、４月１４日のリンク情報として「（１３）」が掲載されている。なお、４月１０日及び４月１１日は製造前であるために、リンク情報は掲載されていない。
【００４４】
更に同様に、製造日が２０１４年４月１３日のヨーグルトについては、４月１３日のリンク情報として「（１０）」が掲載され、４月１４日のリンク情報として「（１４）」が掲載されている。なお、４月１０日、４月１１日及び４月１２日は製造前であるために、リンク情報は掲載されていない。
【００４５】
そして、リンク情報（１）〜（１４）は、代替食品に含まれる乳酸菌の画像にアクセスできる様にリンクが設定されている。
具体的には、リンク情報（１）は、製造日が２０１４年４月１０日のヨーグルトの代替食品に含まれる乳酸菌の４月１０日時点における画像にリンクが張られ、リンク情報（２）は製造日が２０１４年４月１０日のヨーグルトの代替食品に含まれる乳酸菌の４月１１日時点における画像にリンクが張られ、リンク情報（４）は製造日が２０１４年４月１０日のヨーグルトの代替食品に含まれる乳酸菌の４月１２日時点における画像にリンクが張られ、リンク情報（７）は製造日が２０１４年４月１０日のヨーグルトの代替食品に含まれる乳酸菌の４月１３日時点における画像にリンクが張られ、リンク情報（１１）は製造日が２０１４年４月１０日のヨーグルトの代替食品に含まれる乳酸菌の４月１４日時点における画像にリンクが張られている、といった具合である。
【００４６】
なお、ウェブサイト２１中のリンク情報や、リンク情報からのリンク先の画像については、インターネット２０を通じて、所定のタイミングで更新される。
【００４７】
［効果］
上記した本発明を適用した食品製品の一例では、食品１と糖類封入体５とが一体化されているために、食品１を提供する際に、食品１のみならず、不可避的に糖類封入体５をも消費者に提供することとなる。この様に、食品１と共に糖類封入体５をも消費者に提供することができるため、食品１に含まれる乳酸菌が充分に機能するか否かという情報を把握することができ、消費者はより一層安心して食品製品を選択することが可能となり、食品製品の信頼度の向上が実現することとなる。
【００４８】
また、糖類封入体５に表示された二次元バーコード８ａをも消費者に提供されることとなり、消費者はウェブサイト２１にアクセスし、情報を得たいリンク情報を選択することで、食品１の代替食品に含まれる乳酸菌の画像を把握することができる。
そのため、消費者は食品１に含まれる乳酸菌の情報を得ることができ、例えば、食品１を食するタイミングにおいて、どの程度の乳酸菌が含まれているのかといった情報を得ることができ、消費者はより一層安心して食品製品を食することができる。即ち、安心して購入した食品製品であったとしても、その後の時間経過と共に、品質が変化して購入時と品質が異なっている場合があるが、食品１を食するタイミングの情報を得ることによって、食品製品を食することについての消費者の安心も実現できるのである。なお、「食品１を食するタイミングの情報を得る」とは、換言すると、消費者が、食品１の情報が必要な時に、必要な情報を得ることができることを意味する。
【００４９】
また、ウェブサイト２１では、最新の情報のみならず、食品１の製造日以降における食品１の代替食品に含まれる乳酸菌の画像を確認することができるために、製造日以降の乳酸菌の経時変化を把握でき、より一層、食品製品の信頼度の向上が実現することとなる。
【００５０】
更に、糖類封入体５を消費者に提供し、また、二次元バーコード８ａを消費者に提供することで、通常は食品１の背景にあって消費者からは見えない部分をも知ることができ、より一層製品に対する親しみを感じさせることができ、食品製品Ａの消費拡大が期待できる。
【００５１】
また、二次元バーコード８ａを消費者に提供することで、極めて多くの情報を消費者に提供することができる。
即ち、糖類４により提供できる情報や、食品１のパッケージ等に付すことができる情報には限りがあり、また、随時新しい情報に更新していくといった作業が困難であるのに対して、二次元バーコード８ａを消費者に提供し、ウェブサイト上に情報を掲載するといった方法を採ることで、迅速に多くの情報を消費者に提供することができるのである。
【００５２】
なお、糖類封入体５を実際に提供することで、食品１に含まれる乳酸菌が充分に機能するか否かという情報を充分に把握することが可能となる。即ち、文字情報として、例えば、糖類の含有量を開示する場合等が考えられるものの、文字情報による知覚的理解のみでは、食品１に含まれる乳酸菌が充分に機能するか否かという情報を把握するには不充分な場合がある。
【００５３】
［変形例］
上記した第１の実施の形態では、製造日の異なる複数のヨーグルトについての情報が掲載されたウェブサイト２１にアクセスし、ウェブサイト２１にアクセスした消費者が、購入した食品１の製造日を考慮した上で、ウェブサイト２１の中から必要な情報を探し出すといった場合を例に挙げている。即ち、製造日が異なるヨーグルトであっても、同一の二次元バーコード８ａが付され、同一のウェブサイト２１に導かれる場合を例に挙げて説明を行っている。しかしながら、食品１の代替食品に含まれる乳酸菌の画像を消費者に提供することができれば充分であって、必ずしもこの様なウェブサイトである必要は無い。
【００５４】
ここで、ウェブサイトの構成例としては、例えば、図３で示す様に、ヨーグルトの製造年月日毎にアクセス先を異ならせても良い。具体的には、製造日が２０１４年４月１０日のヨーグルトに付された二次元バーコード８ａはウェブサイト２１ａにアクセスでき、製造日が２０１４年４月１１日のヨーグルトに付された二次元バーコード８ａはウェブサイト２１ｂにアクセスでき、製造日が２０１４年４月１２日のヨーグルトに付された二次元バーコード８ａはウェブサイト２１ｃにアクセスでき、製造日が２０１４年４月１３日のヨーグルトに付された二次元バーコード８ａはウェブサイト２１ｄにアクセスできるといった具合である。
【００５５】
そして、ウェブサイト２１ａ〜２１ｄは、製造日以降の日付に対応して、リンク（１）〜（１６）が設けられている。
具体的には、ウェブサイト２１ａについては、４月１０日のリンク情報として「（１）」が掲載され、４月１１のリンク情報として「（２）」が掲載され、４月１２日のリンク情報として「（３）」が掲載され、４月１３日のリンク情報として「（４）」が掲載されている。
【００５６】
同様に、ウェブサイト２１ｂについては、４月１１日のリンク情報として「（５）」が掲載され、４月１２日のリンク情報として「（６）」が掲載され、４月１３日のリンク情報として「（７）」が掲載され、４月１４日のリンク情報として「（８）」が掲載されている。
【００５７】
また同様に、ウェブサイト２１ｃについては、４月１２日のリンク情報として「（９）」が掲載され、４月１３日のリンク情報として「（１０）」が掲載され、４月１４日のリンク情報として「（１１）」が掲載され、４月１５日のリンク情報として「（１２）」が掲載されている。
【００５８】
更に同様に、ウェブサイト２１ｄについては、４月１３日のリンク情報として「（１３）」が掲載され、４月１４日のリンク情報として「（１４）」が掲載され、４月１５日のリンク情報として「（１５）」が掲載され、４月１６日のリンク情報として「（１６）」が掲載されている。
【００５９】
なお、リンク情報（１）〜（１６）は、代替食品に含まれる乳酸菌の画像にアクセスできる様にリンクが設定されている点は、上記した第１の実施の形態と同様である。
【００６０】
また、その他のウェブサイトの構成例としては、例えば、図４で示す様に、ヨーグルトの製造年月日毎にアクセス先を異ならせると共に、最新の画像のみを掲載する様にしても良い。具体的には、製造日が２０１４年４月１０日のヨーグルトに付された二次元バーコード８ａはウェブサイト２１ｅにアクセスでき、製造日が２０１４年４月１１日のヨーグルトに付された二次元バーコード８ａはウェブサイト２１ｆにアクセスでき、製造日が２０１４年４月１２日のヨーグルトに付された二次元バーコード８ａはウェブサイト２１ｇにアクセスでき、製造日が２０１４年４月１３日のヨーグルトに付された二次元バーコード８ａはウェブサイト２１ｈにアクセスできるといった具合である。
【００６１】
そして、ウェブサイト２１ｅ〜２１ｈには、最新の画像である２０１４年４月２０日付けの代替食品に含まれる乳酸菌の画像２４ｅ〜２４ｈが掲載されている。
【００６２】
なお、図２で示すウェブサイトの構成や、図３で示すウェブサイトの構成の様に、ウェブサイトにリンク情報を掲載し、リンク情報を経て代替食品に含まれる乳酸菌の画像にアクセスできる様にしても良いが、図４で示すウェブサイトの構成においては、二次元バーコード８ａからアクセスするウェブサイト２１ｅ〜２１ｈで表示される画像が単一であるため、リンク情報ではなく、直接画像を掲載している。
【００６３】
ここで、上記した第１の実施の形態では、糖類封入体５が透明である場合を例に挙げて説明を行っているが、消費者に糖類４と二次元バーコード８ａを提供することができれば充分であって、必ずしも糖類封入体５が透明である必要は無い。但し、外部から一見して糖類４の状態を確認できることが好ましく、かかる点を考慮すると、糖類封入体５の少なくとも一部は透明である方が好ましい。
【００６４】
また、上記した第１の実施の形態では、糖類封入体５に二次元バーコード８ａが付された場合を例に挙げて説明を行っているが、消費者に糖類４と二次元バーコード８ａを提供することができれば充分であって、必ずしも糖類封入体５に二次元バーコード８ａが付される必要は無く、図５で示す様に、容器２に二次元バーコード８ｂが付されても良い。
【００６５】
更に、上記した第１の実施の形態では、容器２の底部に収容凹部３が形成された場合を例に挙げて説明を行っているが、収容凹部３の形成位置は容器２の底部に限られるものではない。
但し、容器２の底部に収容凹部３が形成された場合には、万が一に糖類封入体５から糖類４が漏れ出た場合であっても、糖類４が容器２の内部の食品１に混合してしまうことを抑止できるため、収容凹部３は容器２の底部に形成される方が好ましい。なお、消費者が食品製品Ａを購入する際に、より見やすい位置に糖類封入体５を配置するという点を重視する場合には、糖類封入体５は容器２の上側に配置することとなる。
【００６６】
また、上記した第１の実施の形態では、食品１を収容した１つの容器２に１つの糖類封入体５を添付する様に構成されているが、容器２と糖類封入体５は必ずしも１対１で対応する必要は無い。
例えば、食品１を収容した容器２を複数個まとめて包装箱に収容し、その包装箱に１つの糖類封入体５を収容しても良い。
【００６７】
また、上記した第１の実施の形態では、食品１を収容した容器２と糖類封入体５とが一体化された場合を例に挙げて説明を行っているが、食品１と共に糖類封入体５を提供することができれば充分であり、必ずしも食品１と糖類封入体５が一体化される必要はない。
【００６８】
例えば、店舗等で商品陳列棚に仕切板を設けて区画し、各区画に食品製品Ａを陳列する場合には、各区画に糖類封入体５を陳列する様にしても良い。
【００６９】
更に、同一生産者や同一生産部会（複数人）が単独（１ユニット）で店頭の棚で販売する様な場合には、棚毎に並べられた同一生産者や同一生産部会の商品について、棚毎に糖類封入体５を並べて提供しても良い。
【００７０】
また、糖類封入体５の提供方法として、消費者が食品１を購入する時に食品１と共に糖類封入体５を提供しても良いし、宅配便で食品１を送る場合に糖類封入体５と共に送る様にしても良いし、自動販売機で食品１を提供する際に併せて糖類封入体５を提供しても良い。
【００７１】
＜２．第２の実施の形態＞
図６は本発明を適用した食品製品の提供方法の一例を説明するための模式図である。
【００７２】
図６で示す食品製品の提供方法の一例では、店舗等で商品陳列棚７の区画９ごとに同一の食品製品Ａを陳列し、その区画９ごとに糖類封入体５が展示されている。
【００７３】
上記した本発明を適用した食品製品の提供方法の一例では、糖類封入体５を展示し、糖類４や二次元バーコード８ａを消費者に見せることができ、食品１に含まれる乳酸菌に関する情報を消費者が把握でき、消費者はより一層安心して食品製品を選択することが可能となり、食品製品の信頼度が向上することとなる。
【００７４】
また、食品製品の品質理解の容易化を図ることが可能となる点、食品製品Ａの消費拡大が期待できる点等は、上述した第１の実施の形態と同様である。
【００７５】
＜３．第３の実施の形態＞
図７は本発明を適用した食品製品の提供方法の他の例を説明するための模式図である。
【００７６】
図７で示す食品製品の提供方法の他の例では、自動販売機で販売されている乳酸菌を含むドリンク１２ごとに、糖類封入体５が展示されている。なお、糖類封入体５には、ドリンク１２に用いられた糖類４が封入されると共に、二次元バーコード８ａが付されている。
【００７７】
上記した本発明を適用した食品製品の提供方法の他の例では、糖類封入体５を展示し、ドリンク１２の糖類４や二次元バーコード８ａを消費者に見せることができ、ドリンク１２に含まれる乳酸菌に関する情報を消費者が把握でき、消費者はより一層安心してドリンク１２を選択することが可能となり、ドリンク１２の信頼度が向上することとなる。
【００７８】
なお、ドリンク１２の品質理解の容易化を図ることが可能となる点、ドリンク１２の消費拡大が期待できる点等は、上述した第１の実施の形態と同様である。
【符号の説明】
【００７９】
１    食品
２    容器
４    糖類
５    糖類封入体
６    包装紙
７    商品陳列棚
８ａ  二次元バーコード
８ｂ  二次元バーコード
９    区画
１２    ドリンク
２０    インターネット
２１    ウェブサイト
２２    製造年月日
２３    日付
【要約】
【課題】商品に対する消費者の信用度を増大させると共に、消費者が安心して商品を選択できるようにする。
【解決手段】食品１と共に、糖類４が密閉状に封入された透明袋状の糖類封入体５を提供する。糖類封入体５には、二次元バーコード８ａが付されており、消費者は二次元バーコード８ａを利用して、ウェブサイト上の乳酸菌に関する情報にアクセス可能となる。
【選択図】図１【図１】
0005611481.tif 000002
【図２】
0005611481.tif 000003
【図３】
0005611481.tif 000004
【図４】
0005611481.tif 000005
【図５】
0005611481.tif 000006
【図６】
0005611481.tif 000007
【図７】
0005611481.tif 000008